(57)【特許請求の範囲】
【請求項１】
画像情報に応じて光学像を形成する電気光学装置と、この電気光学装置で形成された光学像を拡大投写する投写レンズと、レンズ位置調整機構と、前記光源および前記電気光学装置を含む装置本体を収納する外装ケースと、前記電気光学装置が載置されるとともに、前記投写レンズが取り付けられる構造体とを備えた投写型表示装置であって、
前記構造体は側面略Ｌ字状の部材から構成され、略Ｌ字の一方の内側面に前記電気光学装置が載置されるとともに、略Ｌ字の他方の外側面に前記投写レンズが前記レンズ位置調整機構を介して取り付けられる凹部を有する投写レンズ取付面を有し、前記投写レンズには、前記投写レンズ取付面との固定のために、当該投写レンズの径方向外側に向かって突出するフランジが前記投写レンズの基端面よりも先端側に形成され、前記投写レンズの基端部は前記投写レンズの取付面の凹部に挿入され、
前記レンズ位置調整機構は、前記投写レンズ取付面の凹部と係合するリング状の突起部を有する固定部材を備え、
前記構造体の前記外装ケースに対する固定は、前記構造体の前記投写レンズ取付面よりも、前記投写レンズの先端側で行われることを特徴とする投写型表示装置。
【請求項２】
請求項１に記載の投写型表示装置において、
前記投写レンズは、レンズ等の光学部品を保持する枠部を有し、この枠部の基端側端面は、黒色であることを特徴とする投写型表示装置。
【発明の詳細な説明】
【０００１】
【発明の属する技術分野】
本発明は、画像情報に応じて光学像を形成する電気光学装置と、この電気光学装置で形成された光学像を拡大投写する投写レンズと、前記光源および前記電気光学装置を含む装置本体を収納する外装ケースと、前記電気光学装置が載置されるとともに、前記投写レンズが取り付けられる構造体とを備えた投写型表示装置に関する。
【０００２】
【背景技術】
従来より、光源と、この光源から出射される光束を画像情報に応じて光学像を形成する電気光学装置と、この電気光学装置で形成された光学像を拡大投写する投写レンズと、光源および電気光学装置を含む装置本体を収納する外装ケースと、電気光学装置が載置されるとともに、投写レンズが取り付けられる構造体とを備えた投写型表示装置が知られている。
【０００３】
このような投写型表示装置は、会議、学会、展示会等でのマルチメディアプレゼンテーションに広く利用される。このため、投写型表示装置による投写画像の鮮明化、大画面表示を可能とするために、投写レンズの大型化が検討されている。
【０００４】
ここで、上述した構造体は、側面略Ｌ字状の金属部材から構成され、該Ｌ字の一方の内側面が電気光学装置載置面とされ、該Ｌ字の他方の外側面が投写レンズ取付面とされる。そして、このような構造体は、電気光学装置載置面の端部で外装ケースの底面とねじ止め固定されている。
【０００５】
【発明が解決しようとする課題】
しかしながら、従来の構造体に大型の投写レンズを取り付けようとすると、投写レンズの重量により、構造体の投写レンズ取付面が傾いてしまうため、投写レンズの光軸を精度よく設定するのが困難になるという問題がある。
【０００６】
また、大型の投写レンズが取り付けられた構造体はその重心位置が投写レンズの先端側に移動するため、電気光学装置載置面のみで構造体を外装ケースに対して固定すると、安定性が悪くなるという問題がある。
【０００７】
本発明の目的は、大型化された投写レンズを安定して取り付けることのできる構造体を有する投写型表示装置を提供することにある。
【０００８】
【課題を解決するための手段】
前記目的を達成する為に本発明に係る投射型表示装置は、画像情報に応じて光学像を形成する電気光学装置と、この電気光学装置で形成された光学像を拡大投写する投写レンズと、レンズ位置調整機構と、前記光源および前記電気光学装置を含む装置本体を収納する外装ケースと、前記電気光学装置が載置されるとともに、前記投写レンズが取り付けられる構造体とを備えた投写型表示装置であって、
前記構造体は側面略Ｌ字状の部材から構成され、略Ｌ字の一方の内側面に前記電気光学装置が載置されるとともに、略Ｌ字の他方の外側面に前記投写レンズが前記レンズ位置調整機構を介して取り付けられる凹部を有する投写レンズ取付面を有し、前記投写レンズには、前記投写レンズ取付面との固定のために、当該投写レンズの径方向外側に向かって突出するフランジが前記投写レンズの基端面よりも先端側に形成され、前記投写レンズの基端部は前記投写レンズの取付面の凹部に挿入され、
前記レンズ位置調整機構は、前記投写レンズ取付面の凹部と係合するリング状の突起部を有する固定部材を備え、
前記構造体の前記外装ケースに対する固定は、前記構造体の前記投写レンズ取付面よりも、前記投写レンズの先端側で行われることを特徴とする。
【０００９】
このような本発明によれば、構造体の外装ケースに対する固定が投写レンズ取付面よりも先端側で行われるので、大型の投写レンズを構造体に取り付けても投写レンズ取付面が傾くことがなく、投写レンズを構造体に安定して固定することが可能となる。
【００１０】
以上において、上述した投写レンズに投写レンズ取付面との固定のために、当該投写レンズの径方向外側に向かって突出するフランジが形成されている場合、このフランジは投写レンズの基端面よりも先端側に形成されているのが好ましい。
【００１１】
すなわち、固定用のフランジがこのような位置に形成されているので、投写レンズと投写レンズ取付面との固定位置を投写レンズの重心位置に近づけることができ、構造体への投写レンズの固定が一層安定する。
【００１２】
また、上述したレンズ取付面には、投写レンズの基端部分が挿入される凹部が形成されているのが好ましい。
【００１３】
また、上述したレンズ取付面には、固定部材のリング状の突起部に応じた形状を有していることが好ましく、断面円形の突起部であれば、この突起部に応じた開口を有する凹部であるのが好ましい。
【００１４】
すなわち、固定部材のリング状の突起部が凹部に挿入されることで、投写レンズ取付面に対する投写レンズの位置決めを容易に行うことが可能となるうえ、投写レンズ取付面に対する投写レンズの取付構造を強固にすることが可能となる。また、投写レンズ取付面に凹部が形成されることで、投写レンズ取付面の面外方向の変形を規制でき、構造体への投写レンズの固定が一層安定する。
【００１５】
さらに、上述した投写レンズがレンズ等の光学部品を保持する枠部を有している場合、この枠部の基端側端面は、黒色であるのが好ましい。
【００１６】
すなわち、枠部の基端側端面を黒色とすることで、光源から出射された光束が反射することがないので、このような反射によって投写画像が不鮮明となることを防止し、鮮明な投写画像を得ることが可能となる。
【００１７】
【発明の実施の形態】
以下、本発明の実施の一形態を図面に基づいて説明する。
【００１８】
（１）装置の全体構成
図１、図２には、本実施形態に係る投写型表示装置１の概略斜視図が示され、図１は上面側から見た斜視図、図２は下面側から見た斜視図である。
【００１９】
投写型表示装置１は、光源としての光源ランプから出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色の変調光束をプリズム（色合成光学系）により合成して、投写レンズ６を介して投写面上に拡大表示する形式のものである。投写レンズ６の一部を除いて、各構成部品は外装ケース２の内部に収納されている。
【００２０】
（２）外装ケースの構造
外装ケース２は、基本的には、装置上面を覆うアッパーケース３と、装置底面を構成するロアーケース４と、背面部分を覆うリアケース５（図２）と、装置前面を覆うフロントケース９から構成され、リアケース５が樹脂製である他はマグネシウム等の金属製である。
【００２１】
図１に示されるように、アッパーケース３の上面において、その前方側の左右の端には、スピーカ用の多数の連通孔２５Ｒ、２５Ｌが形成されている。また、これらの連通孔２５Ｒ、２５Ｌ間には、投写型表示装置１の画質等を調整するための操作パネル６０が設けられている。さらに、アッパーケース３の前面の向かって右上部分には、図示略のリモートコントローラからの光信号を受信するための受光部７０が設けられている。
【００２２】
図２に示されるように、ロアーケース４の底面の略中央には、装置内部を冷却する冷却空気を取り入れるための空気取入口２４０が設けられている。空気取入口２４０は、樹脂製のフィルタ交換蓋２４１に設けられており、このフィルタ交換蓋２４１をロアーケース４の側面側から着脱することで、内部のフィルタを交換することが可能である。
【００２３】
また、ロアーケース４の底面には、その前端の左右の角部にフット３１Ｒ、３１Ｌが設けられ、後端の略中央部にフット３１Ｃが設けられている。尚、フット３１Ｒ、３１Ｌの上下の進退量を調整することによって、表示画面の傾きを変更することが可能である。
【００２４】
リアケース５は、図２に示されるように、装置背面側に配置された各種の入出力端子群５１が設けられるインターフェースパネル５０１と、装置内部の空気を排出する通気口としての排気口および受光部７０が設けられた光源ランプ交換蓋５０２とで構成されている。また、装置背面側には、外部電力供給用のＡＣインレット５０が設けられている。尚、光源ランプ交換蓋５０２は、インターフェースパネル５０１から着脱可能になっていて、この光源ランプ交換蓋５０２を外装ケース２から取り外すことにより、装置内部の光源ランプユニット８を交換することができる。
【００２５】
（３）装置の内部構造
図３には、投写型表示装置１の内部構造が示されている。
【００２６】
この図に示されるように、装置１の内部には、投写レンズ６の一側方に配置された電源としての電源ユニット７、電源ユニット７の後方に配置された光源ユニットとしての光源ランプユニット８、光学系を構成する光学ユニット１０、ユニット１０内の電気光学装置９２５を駆動するドライバーボード（図示せず）、および装置１全体を制御するメインボード（図示せず）などが収容されている。
【００２７】
電源ユニット７は、ＡＣインレット５０からの電力を変圧して光源ランプユニット８や、ドライバーボード、メインボード、電気光学装置９２５の下方または上下両方に配置された吸気ファン（図示せず）、および光源ランプユニット８の後方に配置された排気ファン１６などに供給するものであり、電源フィルタ、トランス（変圧器）、整流回路、平滑回路、電圧安定回路等が形成された電源回路基板の他、光源ランプユニット８の光源ランプ１８１を駆動するためのランプ駆動基板等を備えている。
【００２８】
光源ランプユニット８は、投写型表示装置１の光源部分を構成するものであり、図４にも示されるように、光源ランプ１８１およびリフレクタ１８２からなる光源装置１８３を有し、この光源装置１８３がランプハウジング（図示略）に収納されることで、ユニット化されている。このような光源ランプユニット８は、前述した吸気ファンからの冷却空気や、外装ケース２と投写レンズ６との間の隙間から吸引される冷却空気で冷却されるが、冷却空気は、先ず、吸引された直後に電気光学装置９２５および電源ユニット７等を冷却し、この後に装置１内部の略全域を冷却するように後方に流れ、最終的にはその大部分が光源ランプユニット８内を通って背後の排気ファン１６で排気される。従って、排気ファン１６の直前に光源ランプユニット８が配置されていることにより、その内部の光源装置１８３を大量の冷却空気で効率よく冷却することが可能である。
【００２９】
光学ユニット１０は、光源ランプユニット８から出射された光束を、光学的に処理して画像情報に対応した光学像を形成するユニットであり、照明光学系９２３、色分離光学系９２４、電気光学装置９２５、および色合成光学系としてのプリズムユニット９１０とを含んで構成される。電気光学装置９２５およびプリズムユニット９１０以外の光学ユニット１０の光学素子は、上ライトガイド（図示略）、および下ライトガイド９０２の間に上下に挟まれて保持された構成となっている。尚、これらの上ライトガイド、下ライトガイド９０２は一体とされて、ロアーケース４の側に固定ネジにより固定されている。また、これらのライトガイドは、プリズムユニット９１０の側に同じく固定ネジによって固定されている。
【００３０】
直方体状のプリズムユニット９１０は、図５に示されるように、マグネシウムの一体成形品から構成される側面略Ｌ字状のヘッド体８０のＬ字の一方の内側面に固定ネジにより固定されている。また、電気光学装置９２５を構成する各液晶パネル９２５Ｒ、９２５Ｇ、９２５Ｂは、プリズムユニット９１０の３側面に固定部材を介して固定されている。
【００３１】
ドライバーボードは、電気光学装置９２５の各液晶パネル９２５Ｒ、９２５Ｇ、９２５Ｂを駆動・制御するためのものであり、光学ユニット１０の上方に配置される。
【００３２】
メインボードは、投写型表示装置１全体を制御する制御回路が形成されたものであり、前記ドライバーボードの上方に配置される。このようなメインボードは、前述のドライバーボードおよび操作パネル６０と電気的に接続される。
【００３３】
（４）光学系の構造
次に、投写型表示装置１の光学系即ち光学ユニット１０の構造について、図４に示す模式図に基づいて説明する。
【００３４】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する電気光学装置９２５と、変調後の各色光束を合成する色合成光学系としてのプリズムユニット９１０とを含んで構成されている。
【００３５】
照明光学系９２３は、第１のレンズ板９２１と、その出射側に配置された第２のレンズ板９２２と、光源ランプユニット８から出射された光束Ｗの光軸１ａを装置１前方向に折り曲げる反射ミラー９３１とを備えている。
【００３６】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００３７】
第２のレンズ板９２２は、マトリクス状に配置された複数の矩形レンズを有しており、第１のレンズ板９２１から出射された各部分光束を電気光学装置９２５を構成する液晶パネル９２５Ｒ、９２５Ｇ、９２５Ｂ（後述）上に重畳させる機能を有している。
【００３８】
このように、本例の投写型表示装置１では、照明光学系９２３により、液晶パネル９２５Ｒ、９２５Ｇ、９２５Ｂ上をほぼ均一な照度の光で照明することができるので、照度ムラのない投写画像を得ることができる。
【００３９】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００４０】
赤色光束Ｒは、この青緑反射ダイクロイックミラー９４１を通過し、後方の反射ミラー９４３で直角に反射されて、赤色光束Ｒの出射部９４４からプリズムユニット９１０の側に出射される。
【００４１】
次に、青緑反射ダイクロイックミラー９４１で反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。
【００４２】
この緑反射ダイクロイックミラー９４２を通過した青色光束Ｂは、青色光束Ｂの出射部９４６からリレー光学系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００４３】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００４４】
このように平行化された赤色、緑色光束Ｒ、Ｇは、入射側偏光板９６０Ｒ、９６０Ｇを通って光変調装置である液晶パネル９２５Ｒ、９２５Ｇに入射して変調され、各色光に対応した画像情報が付加される。すなわち、これらの液晶パネル９２５Ｒ、９２５Ｇは、前述のドライバーボードによって画像情報に応じてスイッチング制御されて、これにより、ここを通過する各色光の変調が行われる。
【００４５】
一方、青色光束Ｂは、リレー光学系９２７を介して対応する液晶パネル９２５Ｂに導かれ、ここにおいて、同様に画像情報に応じて変調が施される。尚、本実施形態の液晶パネル９２５Ｒ、９２５Ｇ、９２５Ｂとしては、例えば、ポリシリコンＴＦＴをスイッチング素子として用いたものを採用することができる。
【００４６】
リレー光学系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶パネル９２５Ｂの手前側に配置した集光レンズ９５３とから構成されており、集光レンズ９５３から出射した青色光束Ｂは、入射側偏光板９６０Ｂを通って液晶パネル９２５Ｂに入射して変調される。
【００４７】
この際、光束Ｗの光軸１ａおよび各色光束Ｒ、Ｂ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、リレー光学系９２７を介在させることにより、光量損失を抑制できる。
【００４８】
次に、各液晶パネル９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にある投写面１００上に拡大投写されるようになっている。
【００４９】
（５）  ヘッド体８０の構造
上述した構造体である側面略Ｌ字状のヘッド体８０は、図５に示すように、プリズムユニット９１０および電気光学装置９２５が載置される水平部８１と、この水平部８１の前方側に立設される垂直部８３とを有し、垂直部８３の外側面には、投写レンズ６がレンズ位置調整機構４０を介して固定されている。
【００５０】
レンズ位置調整機構４０は、ヘッド体８０の垂直部８３に固定される固定部材４０１と、この固定部材４０１に対して、上下に摺動可能な可動部材４０２と、この可動部材４０２を固定部材４０１に対して摺動させるための回転伝動機構４１４とを含んで構成される。そして、本例の場合、投写レンズ６は、可動部材４０２の側面に取り付けられ、回転伝動機構４１４を操作することにより、投写レンズ６の位置が上下に移動し、投写レンズ６の光軸を調整することができるようになっている。
【００５１】
投写レンズ６は、レンズ等の光学部品を収納する円筒状の枠部６１と、枠部６１の基端部分に設けられ、投写レンズ６の径方向外側に向かって突出するフランジ６３と、枠部６１の先端に設けられ、枠部６１の円周方向に回動させることで、投写画像のズーム、フォーカスを調整するズーム・フォーカス調整機構６５とを備えている。
【００５２】
フランジ６３は、枠部６１の基端面よりもレンズ先端側に形成され、フランジ６３の四隅で固定ねじ６２によって、可動部材４０２に固定されている。尚、図５では図示を略したが、可動部材４０２の前方側面には、凹部が形成され、この凹部に枠部６１の基端部分が挿入される。
【００５３】
ヘッド体８０は、図６に示すように、電気光学装置９２５およびプリズムユニット９１０が載置される水平部８１、およびこの水平部８１の前方側端縁に立設される垂直部８３と、この垂直部８３から前方に水平に突出する突出部８５とを備えている。
【００５４】
水平部８１の四隅には、固定孔８１Ａが形成されているとともに、突出部８５にも２つの固定孔８５Ａが形成されている。そして、これらの固定孔８１Ａ、８５Ａ、８７Ａに固定ねじを挿入し、ロアーケース４の底面とねじ止め固定することにより、ヘッド体８０は、外装ケース２に対して固定される。
【００５５】
垂直部８３の投写レンズ取付面８３Ａには、プリズムユニット９１０からの出射光の光軸１ａを中心とした円形状の開口を有する凹部８３Ｂが形成され、その周囲には、格子状のリブ８３Ｃが形成されている。凹部８３Ｂの底面は平坦面とされ、その略中央には、プリズムユニット９１０からの出射光束を導くための矩形状の開口部８３Ｄが形成されている。また、凹部８３Ｂの開口面の周囲には、固定ねじを挿入するためのねじ孔８３Ｅが４つ形成されているとともに、凹部８３Ｂの円形開口面の直径方向に離間配置された一対の位置決めピン８３Ｆが設けられている。
【００５６】
このような凹部８３Ｂには、上述したレンズ位置調整機構４０の固定部材４０１が取り付けられるが、固定部材４０１の垂直部８３と当接する基端面には、この凹部８３Ｂの円形開口面形状と係合するリング状の突起が設けられている（図示略）。固定部材４０１の取り付けに際しては、固定部材４０１の基端面外周部分に設けられる孔（図示略）に位置決めピンを挿入し、孔のクリアランスを使って、位置調整を行った後、ねじ孔８３Ｅにねじを挿入して、固定部材４０１を垂直部８３に固定する。尚、このような垂直部８３は、レンズ位置調整機構４０を介して投写レンズ６を接続するだけでなく、投写レンズ６の基端部分を直接接続できるようになっていて、凹部８３Ｂの円形開口面は、前記投写レンズ６の枠部６１の外周縁にも対応している。
【００５７】
突出部８５は、垂直部８３の底部端縁に沿って前方に突出するリブ状部８５Ｂと、リブ状部８５Ｂの両端に設けられる箱状部８５Ｃとを備えている。この箱状部８５Ｃの上面には、上述した固定孔８５Ａが形成されているとともに、箱状部８５Ｃの上面端部近傍には、前記垂直部８３の投写レンズ取付面８３Ａに向かって延びるリブ８５Ｄが複数設けられている。
【００５８】
尚、このようなマグネシウム合金製のヘッド体８０は、チクソ成形法によって一体成形され、レンズ取付面８３Ａに格子状のリブ８３Ａを形成することで、垂直部８３の強度を落とすことなく、ヘッド体８０の軽量化を図っている。
【００５９】
（６）  実施形態の効果
前述のような本実施形態によれば、次のような効果がある。
【００６０】
すなわち、ヘッド体８０の外装ケース２に対する固定が投写レンズ取付面８３Ａよりも投写レンズ６の先端側で行われるので、大型の投写レンズ６を取り付けても垂直部８３が傾くことがなく、投写レンズ６をヘッド体８０に安定して固定することができる。
【００６１】
また、投写レンズ取付面８３Ａに凹部８３Ｂが形成されているので、この凹部８３Ｂに固定部材４０１のリング状突起の基端部分を挿入することで、投写レンズ取付面８３Ａに対する固定部材４０１の位置決めを容易に行うことができるうえ、投写レンズ取付面８３Ａに対する固定部材４０１の取付構造を強固にすることができる。そして、投写レンズ取付面８３Ａに凹部８３Ｂが形成されることで、投写レンズ取付面８３Ａの面外方向の変形を規制することができるので、ヘッド体８０への投写レンズ６の固定が一層安定する。
【００６２】
さらに、投写レンズ６のフランジ６３が枠部６１の基端面よりもレンズ先端側に形成されているので、可動部材４０２および投写レンズの固定位置を投写レンズ６の重心位置に近づけることができ、レンズ位置調整機構４０を介したヘッド体８０への投写レンズ６の固定が一層安定する。
【００６３】
そして、投写レンズ取付面８３Ａの凹部８３Ｂの外周面に格子状のリブ８３Ｃが形成されているので、凹部８３Ｂによる補強効果に加えて、投写レンズ取付面８３Ａの面外方向の変形が一層防止される。
【００６４】
また、突出部８５から垂直部８３の投写レンズ取付面８３Ａに向かって延びるリブ８５Ｄが設けられているので、垂直部８３の前方側への変形を防止することができ、大型の投写レンズ６を取り付けても、該変形を極力することができる。
（７）  実施形態の変形
尚、本発明は、上述した実施形態に限定されるものではなく、以下に示すような変形をも含むものである。
【００６５】
前期実施形態では、投写レンズ６は、レンズ位置調整機構４０を介してヘッド体８０に取り付けられていたが、これに限られない。すなわち、ヘッド体８０に直接投写レンズ６を固定しても、前述の実施形態で述べた効果と同様の効果を享受することができる。尚、この場合、投写レンズの枠部の基端面は黒色であるのが好ましい。枠部の基端面を黒色とすることにより、プリズムユニットから出射された光束がこの枠部に当たっても、反射しにくくなり、枠部の反射によって光学像が不鮮明となることを防止することができる。
【００６６】
また、前記実施形態では、電気光学装置９２５は、ＴＦＴ駆動の液晶パネル９２５Ｒ、９２５Ｇ、９２５Ｂから構成されていたが、これに限らず、他の駆動方式から構成される光変調装置を備えた投写型表示装置に本発明を採用してもよい。
【００６７】
さらに、前記実施形態では、電気光学装置９２５は、３枚の液晶パネル９２５Ｒ、９２５Ｇ、９２５Ｂから構成されていたが、これに限らず、１枚、２枚の液晶パネルから構成される光変調装置に本発明を採用してもよい。
【００６８】
そして、前記実施形態では、電気光学装置９２５を構成するパネルは液晶素子から構成されていたが、液晶以外のプラズマ素子、マイクロミラーを用いたデバイスパネルから構成される光変調装置を備えた投写型表示装置に本発明を採用してもよい。
【００６９】
また、前記実施形態における電気光学装置９２５は、光束Ｒ、Ｇ、Ｂを透過して変調する形式のものであったが、これに限らず、入射した光を反射しつつ変調して出射する反射型の光変調装置を備えた投写型表示装置に本発明を採用してもよい。
【００７０】
その他、本発明の実施の際の具体的な構造および形状等は、本発明の目的を達成できる範囲で他の構造等としてもよい。
【００７１】
【発明の効果】
前述のような本発明によれば、構造体の外装ケースに対する固定が投写レンズ取付面よりも先端側で行われるので、大型の投写レンズを構造体に取り付けても投写レンズ取付面が傾くことがなく投写レンズを構造体に安定して固定することができる。
【図面の簡単な説明】
【図１】本発明の実施形態に係る投写型表示装置の上部から見た外観斜視図である。
【図２】前記実施形態における投写型表示装置の下部から見た外観斜視図である。
【図３】前記実施形態における投写型表示装置の内部構造を表す斜視図である。
【図４】前記実施形態における光学系の構造を説明するための模式図である。
【図５】前記実施形態における投写レンズおよび電気光学装置の取り付けられた状態を表す外観斜視図である。
【図６】前記実施形態における構造体を表す外観斜視図である。
【符号の説明】
１  投写型表示装置
２  外装ケース
６  投写レンズ
６１  枠部
６３  フランジ
８０  ヘッド体（構造体）
８３Ａ  投写レンズ取付面
８３Ｂ  凹部
８５Ａ  固定孔
１８１  光源ランプ（光源）
９２５  電気光学装置
【図１】
0003603647.tif 000002
【図２】
0003603647.tif 000003
【図３】
0003603647.tif 000004
【図４】
0003603647.tif 000005
【図５】
0003603647.tif 000006
【図６】
0003603647.tif 000007